(57)【特許請求の範囲】
【請求項１】
先端に塗布部材を有すると共に、該塗布部材に連通する液体導入管を有する塗布具本体と、該塗布具本体の内部に収納される液体を収容した液体タンクと、該液体タンクの先端開口部にバルブ部材を内先軸により固着したバルブ装置とを備え、上記内先軸の開口部を前記塗布具本体の液体導入管に装着して、前記液体タンクを軸方向に移動自在とし、該液体タンクのノック操作により前記バルブ装置の弁口を開口して液体タンクから液体導入管を介して塗布部材へ液体を供給するように構成した液体塗布具において、前記内先軸の外周部に突部を設けると共に、該内先軸の突部の後端側となる前記塗布具本体の内周部に突部を設け、かつ、前記内先軸の突部の外径寸法をＤ1、前記塗布具本体の突部の内径寸法をＤ2、前記液体タンクの外径寸法をＤ3としたときに、Ｄ1〜Ｄ3は、次式Ｄ1＞Ｄ2＞Ｄ3を満足し、かつ、前記塗布具本体内周部に設けた突部の後方から後端部までには、塗布具本体の内周部に更に少なくとも１以上の突部が設けられたことを特徴としてなる液体塗布具。
【請求項２】
前記内先軸の外周部及び塗布具本体の内周部の各突部は、何れか一方が内先軸の外周部又は塗布具本体の内周部に複数個所定間隔ごとに設けられた請求項１記載の液体塗布具。
【請求項３】
前記内先軸の突部は、最大径部より後端側方向に塗布具本体の内側にテーパー状又は円弧状の突部が設けられた請求項１又は２記載の液体塗布具。
【請求項４】
前記内先軸の突部及び前記塗布具本体の内周面には、潤滑性を有する潤滑膜が設けられた請求項１〜３の何れか一つに記載の液体塗布具。
【請求項５】
前記液体タンクの後端部周面には、滑り止め部が設けられた請求項１１〜４の何れか一つに記載の液体塗布具。
【発明の詳細な説明】
【０００１】
【産業上の利用分野】
本発明は、修正液、マニュキア液などの液体化粧料、または、液体塗料、液体医薬品、靴墨液などを塗布する液体塗布具に関する。
【０００２】
【従来の技術】
従来の液体塗布具としては、例えば、図１６に示すように、修正液などの液体を入れた外容器１内の内容器２内に、その底部２ａとの間に第一流路３を設けて弁４を収め、弁４と内容器２の底部２ａとの間に弾性体５を介挿し、弁４に密接するシート部材６のベース部６ａと内容器２を外容器１の口部１ａに、弁４のロッド４ａを遊嵌する孔付き蓋７で固定し、外筒８の前方部内に蓋側を口部側にして外容器１を摺嵌し、外筒８の口部８ａには、蓋７の孔７ａに摺嵌されロッド４ａに当接する中心軸との間に第二流路９を有し、この第二流路９に連通する中心流路１０と同心に刷毛１１を有する刷毛ホルダー１２を先具１３で固定してなるものであり、外筒８の内面に弧状突部８ｂを設け、外容器１の蓋７外周に、弧状突部８ｂを乗り越えて係止される環状突部７ｂを設けた液体塗布具Ｘ（実開平５−７２７５６号公報）や、図１７に示すように、液体を収容した液体タンク１４の先端開口部１４ａにバルブ部材１５を装着して、その弁口を開口して液体タンク１４から液体導入管１６を介して塗布具本体１７の塗布部材１８へ液体を供給するように構成した液体塗布具Ｙにおいて、液体タンク１４の後端内面部に前面側が液体と隙間なく接触すると共に後面側が大気圧を受けて液体を密封した状態で前方向に摺動自在なピストン１９を嵌装した構造の液体塗布具（本願出願人が出願した実開昭１−１２２８８７号公報）が知られている。
【０００３】
しかしながら、上記実開平５−７２７５６号公報に記載の液体塗布具Ｘでは、外容器１及び蓋７の弧状突部７ｂ、８ｂは環状（全周）に設けられているので、成型時のバラツキ（公差）等により弧状突部７ｂと弧状突部８ｂとの乗り越えがうまくいかず、不良品が多くなったりする問題があり、また、外容器１の外周全体と弧状突部８ｂとは外容器１のノック操作により接触状態で移動することとなるので、成型時のバラツキ（公差）等により外容器１のノック動作に支障を招来することがあるなどの問題点がある。
【０００４】
また、上記本願出願人が出願した液体塗布具Ｙは、塗布部材１８に対して供給される液量とバルブ部材１５から吐出される液量がほぼ一致して供給量が安定化し、また、バルブ部材１５から吐出される液体の内部に空気が混入することはないので、適量の液体の供給が保証され、供給量の不足を補うためにノック操作を繰り返すという煩雑な操作を不要とした使用性を大幅に向上させるという効果を有するものであるが、液体タンク１４と液体導入管１６とは、バルブ部材１５の嵌装により連結されるものであるため、この嵌装が解かれると液体タンク１４が塗布具本体１７から抜け落ちてしまうことが若干あり、改良の余地が残されていた。
【０００５】
【発明が解決しようとする課題】
本発明の目的は、上記従来の問題点等を解決するものであり、不良品の発生を極力防止して、生産性の効率化を達成すると共に、ノック動作に支障を招来することがなく円滑に操作することができ、また、塗布具本体から液体タンクが簡単に抜け落ちることがない使用性に優れた液体塗布具を提供することにある。
【０００６】
【課題を解決するための手段】
本発明者は、上記の問題点を解決するために鋭意研究を行った結果、塗布具本体及びバルブ装置を特定構造とすることにより上記目的の液体塗布具を得ることに成功し、本発明を完成するに至ったのである。
すなわち、本発明の液体塗布具は、先端に塗布部材を有すると共に、該塗布部材に連通する液体導入管を有する塗布具本体と、該塗布具本体の内部に収納される液体を収容した液体タンクと、該液体タンクの先端開口部にバルブ部材を内先軸により固着したバルブ装置とを備え、上記内先軸の開口部を前記塗布具本体の液体導入管に装着して、前記液体タンクを軸方向に移動自在とし、該液体タンクのノック操作により前記バルブ装置の弁口を開口して液体タンクから液体導入管を介して塗布部材へ液体を供給するように構成した液体塗布具において、前記内先軸の外周部に突部を設けると共に、該内先軸の突部の後端側となる前記塗布具本体の内周部に突部を設け、かつ、前記内先軸の突部の外径寸法をＤ1、前記塗布具本体の突部の内径寸法をＤ2、前記液体タンクの外径寸法をＤ3としたときに、Ｄ1〜Ｄ3は、次式Ｄ1＞Ｄ2＞Ｄ3を満足し、かつ、前記塗布具本体内周部に設けた突部の後方から後端部までには、塗布具本体の内周部に更に少なくとも１以上の突部が設けられたことを特徴とする。
【０００７】
前記内先軸の外周部及び塗布具本体の内周部の各突部は、何れか一方が内先軸の外周部又は塗布具本体の内周部に複数個所定間隔ごとに設けることが好ましい。
前記内先軸の突部は、最大径部より後端側方向に、塗布具本体の内側にテーパー状又は円弧状の突部を設けることが好ましい。
前記塗布具本体内周部に設けた突部の後方から後端部までには、塗布具本体の内周部に更に少なくとも１以上の突部を設けることが好ましい。
前記内先軸の突部及びは前記塗布具本体の内周面には、潤滑性を有する潤滑膜を設けることが好ましい。
前記液体タンクの後端部周面には、滑り止め部を設けることが好ましい。
【０００８】
【作用】
本発明の液体塗布具では、内先軸の外周部に突部を設けると共に、該内先軸の外周突部の後端側となる塗布具本体の内周部に突部を設け、前記内先軸の突部の外径寸法をＤ1、前記塗布具本体の突部の内径寸法をＤ2、前記液体タンクの外径寸法をＤ3としたときに、Ｄ1〜Ｄ3は、次式Ｄ1＞Ｄ2＞Ｄ3を満足し、かつ、前記塗布具本体内周部に設けた突部の後方から後端部までには、塗布具本体の内周部に更に少なくとも１以上の突部が設けられているので、液体タンクのノック動作に支障を招来することなく円滑に操作できると共に、使用時の液体タンクの振れを防止し、液体タンクに固着したバルブ装置の弁口を開口して液体タンクから液体導入管を介して塗布部材へ液体を供給することとなる。
請求項２〜５に記載の液体塗布具では、更にその使用性を大幅に向上させることができることとなる。
【０００９】
【実施例】
本発明に係る液体塗布具の実施例を図１〜図１５を参照しながら説明するが、本発明はこれらの実施例に限定されるものではない。
図１〜図１１は、本発明の液体塗布具の一例を示すものである。本実施例の液体塗布具Ａは、塗布具本体２０と、液体を収容したカートリッジ式の液体タンク３０と、該液体タンク３０の先端開口部３１にバルブ部材４０を内先軸５０により固着したバルブ装置６０とを備えている。
【００１０】
塗布具本体２０は、図１及び図２に示すように、筒状となっており、先端に刷毛からなる塗布部材２１を有すると共に、該塗布部材２１に連通する液体導入管２２を有し、後端は液体タンク３０をノック操作し易いように一部が切り欠かれている。
塗布具本体２０の先端には、螺子２３が設けられ、先軸２４と螺合しており、この先軸２４により液体導入管２２、塗布部材ホルダー２５及び塗布部材２１が固定されている。すなわち、塗布部材ホルダー２５の鍔部２５ａは、図２に示すように、先軸２４の円周状突部２４ａと液体導入管２２の鍔部２２ａにより挟持され、先軸２４と塗布具本体２０の先端が螺子２３で締め付けられることにより塗布部材ホルダー２５は、先軸２４と液体導入管２２の間でシールされる。これにより、塗布部材ホルダー２５の内側の空間に塗布部材２１を通じ、該塗布部材２１の鍔部２１ａがホルダー２５の後端にあたり、塗布部材２１に前方に引き抜く力がかかったとき、塗布部材２１を保持することとなる。また、液体導入管２２の前方には、パイプ２６が圧入され液をより確実に塗布部材２１の中心に導入している。
【００１１】
液体導入管２２の円筒部の内部には、図３（ａ）〜（ｄ）に示すように、液を吐出させる流出部にあたる中空部２２ｂが形成されている。また、中空部２２ｂ後端は、一部切り欠かれ、バルブ部材４０の弁棒４１の端面に接したときに流出部の空間を防ぐことのない形状となっている。
液体導入管２２は、塗布部材２１と共に先軸２４に固定されると共に、液体導入管２２の後端は円筒状でその中心の中空部２２ｂは塗布部材２１に連通しており、弁棒４１の前端と液体導入管２２の後端とは当接している。液体導入管２２と弁棒４１の接する箇所はバルブ部材４０からの液が液体導入管２２の中空部２２ｂに流入できるように完全に密着しないように液体導入管２２には切り欠き部２２Ｃが形成される。また、この液体導入管２２に切り欠き部２２Ｃを設けないときは、図６に示すように、弁棒４１に切り欠き部４１ａを設けることができる。
【００１２】
液体タンク３０は、図１及び図２に示すように、塗布具本体２０の筒状内部に収納されるものであり、先端に開口部３１を有し、内部にマニュキア液などの液体を収容している。液体タンク３０の後端は塗布具本体２０の切り欠きにより外側に露出している。
この液体タンク３０の先端開口部３１には、バルブ部材４０を内先軸５０により固着したバルブ装置６０を備えている。
【００１３】
バルブ部材４０は、図４〜図６に示すように、弁棒４１、バネ受４２、弁座４３及び弾性体からなるバネ４４からなり、液体タンク３０の先端開口部３１に内先軸５０により固定されている。なお、図６は、弁棒４１の他例であり、切り欠き部４１ａが液体導入管２２にあたる位置に設けられている。このため、液体導入管２２の後端に切り欠き部がなくても、液体は液体導入管２２の中空部２２ｂに吐出される。
バルブ部材４０の弁棒４１の前端部４１ｂは、塗布部材２１と共に固定された円筒状の液体導入管２２の後端となる切り欠き部２２ｃに当接している。
バルブ部材４０の弁棒４１は、液体タンク３０をノック動作しないときは、図４（ａ）に示すように、弁棒４１は弁座４３と当接しシールしている。その弁棒４１のバネ受４２と接している部分は椀状４１ｃとなっており、バルブ部材４０の前方（先端側）に向かっている。
【００１４】
バルブ部材４０のバネ受４２は、図４（ａ）〜（ｄ）に示すように、外周に液体流入用の窓部４２ａを複数有し、ノック動作時には弁棒４１の椀状４１ｃ部分の先端がこの窓部４２ａの部分まで移動する〔図４（ｃ）（ｄ）〕。
弁棒４１は，バネ（スプリング）４４により弁座４３側へ押し付けられ、弁座４３と弁棒４１のテーパ−部４１ｄによりシールしている。弁棒４１のピストン部４１ｅはバネ受４２の内側に接しており、ピストン部４１ｅは前方に向かい椀状に開いている。
バネ受４２は、内部をノックして、液体導入管２２により弁棒４１がバルブ部材４０内に押し入れられたとき、弁棒４１のピストン部４１ｃは四角の窓部４２ａより後方になり、液体タンク３０内の液体が弁棒４１のピストン４１ｅの前方に流入することができる。弁棒４１の後端部は、バネ受４２の後端孔４２ｂに保持される弁棒ホルダー４１ｆにより前後に抵抗なく摺動はできるが、液体タンク３０からバルブ部材４０内の椀部４１ｃ前方への液体の流入はこの四角窓部４２ａからなされる。
【００１５】
このように構成されるバルブ部材４０は、液体タンク３０の開口部３１内に嵌入し、内先軸５０と液体タンク３０を螺子で固定することにより取り付けられ、バルブ装置６０を構成する。
また、バルブ部材４０の弁座４３の端面と内先軸５０の開口部５１の下部の間に配置される弾性体からなるパッキン５２は、図２に示すように、液体導入管２２とバルブ部材４０の弁座４３の端面と密着する。これにより、液体タンク３０をノックすることにより、液体導入管２２がパッキン５２との間で摺動してもこのパッキン５２によりバルブ部材４０から吐出された液体は、液体導入管２２の外部に漏れることなく液体導入管２２内の中空部２２ｂに入り、塗布部材２１に導かれることとなる。
【００１６】
内先軸５０の外周部には、所定間隔ごとに凸状の突部５３が複数、本実施例では等間隔に６個設けられており、前記塗布具本体２０の内周部には、図７（ａ）及び（ｂ）に示すように、環状に円弧（Ｒ）状の突部２７が設けられている。この突部２７の配設箇所は、液体タンク３０をノックをしない状態で内先軸５０の突部５３より後方になっている。すなわち、液体導入管２２の後端が弁棒４１の前端部４１ｂに当接したときに塗布具本体２０の突部２７が内先軸５０の外周突部５３に較べ外径後端側となっている。
また、この塗布具本体２０内周部に等間隔ごとに６個又は環状に設けた突部２７の後方から後端部までの何れかの適宜塗布具本体２０内周部に、更に環状の又は等間隔ごとに６個の突部２８を設けている。突部２８は、塗布具本体２０の後端付近の内周部に設けたが、突部２７と当該突部２８の間に更に一つ以上（合計２箇所以上）設けてもよいものである。更に、本実施例では、好ましい態様として、液体タンクの後端部分に滑り止め部３２を設けている。
【００１７】
また、本実施例では、図９に示されるように、前記内先軸５０の突部５３の外径寸法をＤ1、前記塗布具本体２０の突部２７の内径寸法をＤ2、前記液体タンク３０の外径寸法をＤ3としたときに、Ｄ1〜Ｄ3は、次式Ｄ1＞Ｄ2＞Ｄ3を満足し、かつ、前記塗布具本体内周部に設けた突部の後方から後端部までには、塗布具本体の内周部に更に少なくとも１以上の突部、本実施例では、塗布具本体２０内周部に設けた突部２７の後方から後端部までに、更に塗布具本体２０の内周部に等間隔ごとに６個又は環状の突部２８が設けられているので、より製品の公差（バラツキ）に影響されず、また、塗布具本体２０と液体タンク３０のクリアランスを最小限にしても、液体タンク３０の振れが防止されると共に、ノック動作に支障を招来しないようになっている。また、液体タンク３０に、滑り止め部３２を設けた場合には、指のすべりを防止して、指で容易に液体タンク３０をつかみ、引き抜きを容易としている。この滑り止め部３２については、更に図１１を含めて後述する。
なお、前記実施例と逆にして内先軸５０の外周突部５３を環状（全周）に設けて、図８（ａ）及び（ｂ）に示すように、塗布具本体２０に等間隔ごとに６個の突部２７を設け、かつ、上記関係式を満足すれば、上記と同様の効果が得られるものである。
【００１８】
このように構成される液体塗布具Ａは、組立時には、液体タンク３０を塗布具本体２０に押し入れることで、内先軸５０の突部５３は塗布具本体２０の突部２７を乗り越える。塗布使用時は、液体タンク３０は塗布具本体２０からこの突部２７のひっかかりにより及び液体導入管２２への装着により容易に離脱することはできない構造となっている。
液体タンク３０は、カートリッジタイプのため、液体タンク３０を塗布具本体２０より離脱する場合は、塗布具本体２０の後端より露出する液体タンク３０を指でもち引き抜くことにより簡単に行うことができる。この時の抜き力は、内先軸５０の突部５３〔Ｄ1〕の寸法及び塗布具本体２０の突部２７〔Ｄ2〕の寸法、並びに、突部２７を所定間隔ごとに設けた場合にはその個数を増減することにより調整することができる。
【００１９】
次に、このようにセットされた液体塗布具Ａの使用方法等について説明する。
カートリッジ式の液体タンク３０は、図２、図１０及び図１１に示すように、液体導入管２２に対し軸線方向に移動自在であり、該液体タンク３０の後端を前方へノック（押圧）すると、液体タンク３０に固着したバルブ部材４０が開口して液体タンク３０のマニュキア液等が窓部４２ａを通って液体導入管２２に流入し塗布部材２１へ供給される。
液体タンク３０の後端に対するノック（押圧）操作を解除すると、バルブ部材４０のバネ４４により該液体タンク３０が液体導入管２２に対し後退して弁座４３と弁棒４１とが当節して弁を閉じると共に、液体タンク３０は容易に塗布具本体２０からこの突部２７等のひっかかりにより離脱することはできない。
本実施例の液体塗布具Ａは、上記ノック操作を繰り返すことにより、所要量のマニュキア液等を塗布部材２１へ供給して使用に供されることとなる。
液体タンク３０の交換は、液体タンク３０を液体導入管２２から取り外し、新しい液体タンクを上述のセット方法によりセットすれば簡単に交換することができる。なお、使用後は、先具２４に着脱自在なインナーキャップ付きキャップ（図示せず）等を取り付けるものである。
【００２０】
図１２（ａ）〜（ｄ）は、液体タンクの好ましい実施態様である。
すなわち、液体タンク３０の後端の露出部を指でつかみ、塗布具本体２０から離脱する場合、指に油や化粧料等が付き滑り易くなっている場合がある。液体タンク３０と塗布具本体２０の引っ掛かり力が適度に設定されている場合でも指がすべり抜き難い。
そこで、本例では、液体タンク３０に指に引っ掛かりやすいように液体タンク３０の後端部周面、すなわち、液体タンク３０の塗布具本体２０からの露出部に凹凸部等からなる滑り止め部３２を設けることで指のすべりを防止して、指で容易に液体タンク３０をつかみ、引き抜きを容易としている。なお、図１２（ａ）〜（ｄ）中、３３は内先軸５０との固着用の螺子である。
【００２１】
液体タンク３０がアルミニウム等の金属の場合は、図１２（ａ）に示すように、機械加工により複数の溝をいれることにより滑り止め部３２を設けることができる。
また、液体タンクが樹脂の成形品の場合は、図１２（ｂ）〜（ｄ）に示すように、成形時に適当な凹凸部等からなる滑り止め部３２を設けることができる。同図（ｂ）は、液体タンク３０後端に四角形の凹部を複数間隔をあけて設けた例である。同図（ｃ）は、ブロー金型パーティング線上で一部面ソギを行い、面ソギ以外の所に四角形の凹部を二つづつ両面に設けた例である。同図（ｄ）は、ブロー金型パーティング線上に面ソギを行い、その面ソギより浅い深さで四角形の凹部を設けた例である。
なお、図では示さないが、凹凸部等により滑り止め部を構成するものであれば、他の形状、例えば、円形状、楕円形状等の凹部等であってもよいものである。
【００２２】
図１３（ａ）〜（ｄ）は、各々内先軸５０の突部５３の好ましい実施態様等である。図中、（ｂ）〜（ｄ）は、（ａ）の拡大図であり、（ｂ）は突部５３の端面側が９０°（凸部）の場合、（ｃ）は突部５３の端面側がテーパー状の場合であり、（ｄ）は突部５３の端面側が円弧（Ｒ）状の場合である。
内先軸５０の突部５３と塗布具本体２０の突部２７の乗り越える力により、液体タンク３０交換時の離脱力を設定する場合に、内先軸５０の突部５３の端面側が９０°（同図（ｂ）〕の場合は、このエッジが塗布具本体２０の突部２７にあたり、液体タンク３０を引き抜くわずかの傾きや塗布具本体２０の突部へのくいつきにより引き抜く力が大きくなることがある。これを防ぐために、本例では、内先軸５０外周の突部５３の端面側を円弧（Ｒ）状、又はテーパー状にすることでエッジによるくいつきを防ぎ、引き抜く力をより安定化することができる。
【００２３】
上述のように、内先軸５０の外周部突部５３の形状を図１３に示すように、内先軸５０の突部５３を最大径部よりテーパー状又は円弧（Ｒ）状とした場合は塗布具本体２０との液体タンク３０の抜力が容易に安定することとなる。
容易に脱着させ、かつ、充分な保持力をもつためには、内先軸５０の突部５３と塗布具本体２０の突部２７のしめ代による液体タンク３０の抜力を安定化させることが重要であり、激しく寸法を保持する必要があるが現実には難しい。
そこで、この部分に、すなわち、上述の種々の態様の突部５３、塗布具本体２０の内周面に潤滑性のある液体、例えば、シリコーン油、鉱油、流動パラフィン、ポリエチレングリコール、グリセリン、ラノリン、ワセリン、パーフルオロカーボン等の難揮発性液体を、吹き付け、又は、ブラシ塗布等に塗布し潤滑膜を設けて、この接触面における摩擦係数を低下せしめることにより安定した液体タンク３０の着脱力が得られ、また、前記潤滑性液体を、揮発性溶剤に溶解後塗布して、溶剤を揮発させて潤滑膜を得ることもできる。
【００２４】
本発明の液体塗布具は、上述のように構成され、使用されるものであるが、上記実施例に限定されるものではなく、本発明の要旨を変更しない範囲で種々の態様に設計変更等できるものである。
例えば、前記実施例において、液体タンク３０をカ−トリッジタイプとして説明したが、図１４（ａ）〜（ｃ）の液体塗布具Ｂに示すように、塗布具本体２０の突部２７及び内先軸５０の突部５３をエッジを各々９０°とした凸形状とし、液体タンク３０を挿着した後は、内先軸５０の突部５３が突部２７を乗り越えることができない、固定式（使い捨て方式）の液体タンク３０としてもよい。
また、その他の固定式としては、図１５の液体塗布具Ｃに示すように、塗布具本体２０の先端開口部からバルブ装置６０を取り付けた液体タンク３０、液体導入管２２、先具２４、塗布部材２１を取り付ける構造としてもよい。この場合、先具２４は塗布具本体２０の先端開口部に直接螺合により取り付けられると共に、固定部材２９により液体導入管２２が固定される点で上記図１５に示した実施例と異なるものである。
【００２５】
また、本発明の液体塗布具は、塗布具本体２０の突部２７，２８及び内先軸５０の突部５３等の構造を要旨とするものであるので、これらの構造以外の塗布部材２１、液体導入管２２、バルブ部材４０の構造、形状等は何等限定されるものではない。
例えば、塗布具本体２０の塗布部材２１をスポンジ体、又は、筆ペンタイプとしてもよく、液体タンク３０に収容された液体を塗布具本体２０の塗布部材２１により被塗布物又は人体等に塗布、筆記できるものであれば、塗布部材２１は何等限定されるものではない。また、液体導入管２２の後端部を切り欠き部２２ｃとしたが、従来技術（実開昭１−１２２８８７号公報）で開示の液体導入管のように切り欠き部を設けずに、中間に液体導入口を設けてもよいものである。
さらに、液体タンク３０に収容される液体は、マニュキア液等の液体化粧料以外にも、液体靴墨液、液体のり、筆記具用のインキ液、液体塗料、液状薬剤、若しくはこれらのエアゾールタイプのものであってもよく、当該液体は特に限定されるものではない。
【００２６】
【発明の効果】
本発明によれば、内先軸の外周部に突部を設けると共に、該内先軸の外周突部の後端側となる塗布具本体の内周部に突部を設け、前記内先軸突部の外径寸法をＤ1、前記塗布具本体の突部の内径寸法をＤ2、前記液体タンクの外径寸法をＤ3としたときに、Ｄ1〜Ｄ3は、次式Ｄ1＞Ｄ2＞Ｄ3を満足し、かつ、前記塗布具本体内周部に設けた突部の後方から後端部までには、塗布具本体の内周部に更に少なくとも１以上の突部が設けられることとなるので、塗布具本体と液体タンクのクリアランスを最小限にしても、液体タンクのノック動作に支障を招来することなく円滑に操作できると共に、液体タンクに固着したバルブ装置の弁口を開口して液体タンクから液体導入管を介して塗布部材へ液体を供給することができ、また、液体タンクの振れを防止でき、しかも、液体タンクは塗布具本体から簡単に抜け落ちることもなく、さらに、製品の公差に影響されず、生産性の効率化を達成することができる液体塗布具が提供される。
また、内先軸の外周部及び塗布具本体の内周部の各突部の何れか一方が内先軸の外周部又は塗布具本体の内周部に複数個所定間隔ごとに設けることにより、並びに、内先軸の突部を、最大径部より後端側方向に塗布具本体の内側にテーパー状又は円弧状の突部を設けることにより、液体タンクの引き抜く力をより安定化することができる利点を有する。
さらに、前記内先軸の突部及び前記塗布具本体の内周面に、潤滑性を有する潤滑膜を設けることにより更に使用性の向上及び液体タンクの引き抜く力をより安定化することができる利点を有する。
さらにまた、前記液体タンクの後端部周面に、滑り止め部を設けることにより、指のすべりを防止して、指で容易に液体タンクをつかみ、引き抜きを容易にすることができる利点を有する。
【図面の簡単な説明】
【図１】（ａ）は本発明の液体塗布具の一例を示す縦断面図、（ｂ）は液体塗布具本体の後方側内周部を示す部分縦断面図である。
【図２】図１の部分拡大縦断面図である。
【図３】（ａ）は本発明で用いる液体導入管の一例を示す縦断面図、（ｂ）はその側面図、（ｃ）はその右側面図、（ｄ）はその斜視図である。
【図４】（ａ）は本発明で用いるバルブ部材の一例を示す縦断面図、（ｂ）はその側面図、（ｃ）はその使用状態を示す縦断面図、（ｄ）はその使用状態を示す側面図である。
【図５】（ａ）は本発明で用いるバルブ部材の弁棒の一例を示す縦断面図、（ｂ）はその側面図である。
【図６】（ａ）は本発明で用いるバルブ部材の弁棒の他例を示す縦断面図、（ｂ）はその側面図である。
【図７】（ａ）は本発明で用いる塗布具本体の一例を示す部分縦断面図、（ｂ）はその横断面図である。
【図８】（ａ）は本発明で用いる塗布具本体の他例を示す部分縦断面図、（ｂ）はその横断面図である。
【図９】図１の要部を示す部分拡大縦断面図である。
【図１０】本発明の液体塗布具の使用前の状態の一例を示す縦断面図である。
【図１１】本発明の液体塗布具の使用状態の一例を示す縦断面図である。
【図１２】（ａ）〜（ｄ）は本発明で用いる液体タンクの好ましい実施態様を示す各正面図及び横断面態様で示す各側面図である。
【図１３】（ａ）は本発明の液体塗布具の使用前の状態の一例を示す縦断面図、（ｂ）〜（ｄ）はその要部を示す部分縦断面図である。
【図１４】（ａ）は本発明の液体塗布具の他例を示すものであり、液体タンクが取り外すことができない固定式の液体塗布具の一例を示す縦断面図、（ｂ）は、その要部拡大断面図、（ｃ）はその塗布具本体の縦断面図である。
【図１５】本発明の液体塗布具の他例を示すものであり、液体タンクが取り外すことができない固定式の液体塗布具の他例を示す縦断面図である。
【図１６】従来の液体塗布具の一例を示す縦断面図である。
【図１７】従来の液体塗布具の他例を示す縦断面図である。
【符号の説明】
Ａ  液体塗布具
２０  塗布具本体
２１  塗布部材
２２  液体導入管
２７  突部
３０  液体タンク
４０  バルブ部材
５０  内先軸
５３  突部
６０  バルブ装置
【図１】
0003628037.tif 000002
【図２】
0003628037.tif 000003
【図３】
0003628037.tif 000004
【図４】
0003628037.tif 000005
【図５】
0003628037.tif 000006
【図６】
0003628037.tif 000007
【図７】
0003628037.tif 000008
【図８】
0003628037.tif 000009
【図９】
0003628037.tif 000010
【図１０】
0003628037.tif 000011
【図１１】
0003628037.tif 000012
【図１２】
0003628037.tif 000013
【図１３】
0003628037.tif 000014
【図１４】
0003628037.tif 000015
【図１５】
0003628037.tif 000016
【図１６】
0003628037.tif 000017
【図１７】
0003628037.tif 000018